(57)【特許請求の範囲】
【請求項１】
画像の一部領域を指定する指定手段と、前記指定手段で指定した領域に対応付けて文字情報を入力する入力手段と、該画像と該文字情報とを合わせて表示する表示手段と、前記文字情報を選択する選択手段と、前記選択手段により選択された文字情報に対応した領域を拡大表示する領域表示手段とを備えたことを特徴とする画像形成装置。
【請求項２】
前記選択手段は、表示画面上で移動可能な指示手段を有し、文字情報が配置されている領域に前記指示手段を移動することで前記画像上に文字情報に対応する領域を表示し、表示された領域を該文字情報の選択動作で拡大表示することを特徴とする請求項１に記載の画像形成装置。
【請求項３】
前記領域表示手段により拡大表示された領域を拡大縮小する変倍手段を有することを特徴とする請求項１または請求項２に記載の画像形成装置。
【請求項４】
画像の一部領域を指定する指定ステップと、前記指定ステップで指定した領域に対応付けて文字情報を入力する入力ステップと、該画像と該文字情報とを合わせて表示する表示ステップと、前記文字情報を選択する選択ステップと、前記選択ステップにより選択された文字情報に対応した領域を拡大表示する領域表示ステップとを備えたことを特徴とする画像形成プログラム。
【請求項５】
前記選択ステップは、表示画面上で移動可能な指示手段を文字情報が配置されている領域に移動することで該文字情報に対応する領域を前記画像上に表示し、表示された領域を該文字情報の選択動作で拡大表示することを特徴とする請求項４に記載の画像形成プログラム。
【請求項６】
前記領域表示ステップにより拡大表示された領域を拡大縮小する変倍ステップを有することを特徴とする請求項４または請求項５に記載の画像形成プログラム。
【発明の詳細な説明】
【０００１】
【発明の属する技術分野】
本発明は、コンピュータにより画像データを印刷する画像印刷プログラム及び画像形成装置に関し、特に、画像データと文字データとを同時に印刷する画像印刷プログラム及び画像形成装置に関する。
【０００２】
【従来の技術】
近年、デジタルカメラの普及により撮影した画像を整理するための画像データベースの利用が拡大してきている。これらの画像データベースはコンピュータにインストールされた画像形成プログラムにより検索や閲覧が行えるようになっている。そして、画像を整理する際には各画像に対応するコメントを入力し、各画像と各画像に対応するコメントとを同時に表示画面に表示して閲覧できるようになっている。
【０００３】
また、インターネットによりアクセス可能なサーバー上に画像データを配してどこからでも画像を閲覧できるサイト（以下、「Ｗｅｂ  Ｐｈｏｔｏ  サイト」という）が多く開設されている。この場合には、上記の画像形成プログラムはサーバー上に配され、各ユーザーはＷｅｂ  Ｐｈｏｔｏ  サイトにアクセスすることによって画像データベースを操作できる。
【０００４】
これらのＷｅｂ  Ｐｈｏｔｏ  サイトでは、不特定の者が画像を閲覧して各画像に対するコメントを送信することができる。そして、各画像と各画像に対応した複数の者によるコメントとを同時に表示画面に表示して閲覧できるようになっている。
【０００５】
【発明が解決しようとする課題】
しかしながら、上記の従来の画像形成プログラムは、各画像に対するコメントを付加できるが、多くのコメントが掲示されると画像のどの部分に対するコメントであるかがわかりにくくなる。このため、画像の一部分についての情報を取得したい場合等に使用勝手が悪い問題があった。
【０００６】
本発明は、ユーザーの使用勝手を向上することのできる画像形成プログラム及び画像形成装置を提供することを目的とする。
【０００７】
【課題を解決するための手段】
上記目的を達成するために本発明の画像形成装置は、画像の一部領域を指定する指定手段と、前記指定手段で指定した領域に対応付けて文字情報を入力する入力手段と、該画像と該文字情報とを合わせて表示する表示手段と、前記文字情報を選択する選択手段と、前記選択手段により選択された文字情報に対応した領域を拡大表示する領域表示手段とを備えたことを特徴としている。
【０００８】
この構成によると、画像データには全体画像のデータと、指定領域の範囲を示すデータと、指定領域内の画像に対するコメント等のデータとが含まれる。所定の操作により文字データを選択すると該文字データに対応する指定領域内の画像が全体画像から抽出され、抽出画像と文字データとがが表示装置や印刷媒体に拡大表示される。
【０００９】
また本発明は、上記構成の画像形成装置において、前記選択手段は、表示画面上で移動可能な指示手段を有し、文字情報が配置されている領域に前記指示手段を移動することで前記画像上に文字情報に対応する領域を表示し、表示された領域を該文字情報の選択動作で拡大表示することを特徴としている。この構成によると、例えばマウスのカーソルを文字データの表示領域に移動すると対応する指定領域が全体画像内に表示される。そして、その状態から例えばクリック等を行うと文字データが選択されて抽出画像が表示される。
【００１０】
また本発明は、上記構成の画像形成装置において、前記領域表示手段により拡大表示された領域を拡大縮小する変倍手段を有することを特徴としている。
【００１１】
また本発明の画像形成プログラムは、画像の一部領域を指定する指定ステップと、前記指定ステップで指定した領域に対応付けて文字情報を入力する入力ステップと、該画像と該文字情報とを合わせて表示する表示ステップと、前記文字情報を選択する選択ステップと、前記選択ステップにより選択された文字情報に対応した領域を拡大表示する領域表示ステップとを備えたことを特徴としている。
【００１２】
また本発明は、上記構成の画像形成プログラムにおいて、前記選択ステップは、表示画面上で移動可能な指示手段を文字情報が配置されている領域に移動することで該文字情報に対応する領域を前記画像上に表示し、表示された領域を該文字情報の選択動作で拡大表示することを特徴としている。
また本発明は、上記構成の画像形成プログラムにおいて、前記領域表示ステップにより拡大表示された領域を拡大縮小する変倍ステップを有することを特徴としている。
【００１３】
【発明の実施の形態】
以下に本発明の実施形態を図面を参照して説明する。図１〜図６は第１実施形態の画像形成プログラムの動作を示すフローチャートである。本実施形態の画像形成プログラムは、インターネットサーバーに設けられている。サーバー上に開設されたＷｅｂ  Ｐｈｏｔｏ  サイトにインターネットを介してアクセスして該画像形成プログラムを操作できるようになっている。
【００１４】
まず、ユーザーは任意のＷｅｂブラウザによりＷｅｂ  Ｐｈｏｔｏ  サイトにアクセスする（ステップ＃１１）。これにより、画像形成プログラムが起動され、ステップ＃１２で、図７に示すようなログイン画面１０が表示画面に表示される。
【００１５】
ユーザーが既にユーザーＩＤを取得している場合は、ユーザーはユーザーＩＤ及びパスワードをそれぞれテキストボックス１１、１２に入力した後、ＧＯボタン１３を選択すると、ログインすることができる（ステップ＃１３）。これにより、ステップ＃１５に移行して図２に示す「フォルダー選択」処理が呼出される。尚、終了ボタン１５を選択すると、画像形成プログラムが終了する。
【００１６】
ユーザーがユーザーＩＤをまだ取得していない場合は、ユーザー登録ボタン１４を選択するとステップ＃１４に移行し、図８に示すユーザー登録画面２０が表示画面に表示される。ユーザーは、姓、名、メールアドレスをそれぞれテキストボックス２１、２２、２３に入力する。
【００１７】
また、所望のユーザーＩＤ及びパスワードをそれぞれテキストボックス２４、２５に入力した後、テキストボックス２６に再度パスワードを入力してパスワードの確認を行う。その後、ユーザー登録ボタン２７を選択するとログインすることができ、ステップ＃１５に移行して図２の「フォルダー選択」処理が呼出される。尚、終了ボタン２８を選択すると、画像形成プログラムが終了する。
【００１８】
「フォルダー選択」処理では、図９に示すようなフォルダー選択画面３０が表示される。フォルダー選択画面３０内には、リストボックス３２が設けられる。リストボックス３２には画像ファイルが保存されたフォルダー名の一覧が表示され、ユーザーはスクロールバー３１によりスクロールしてフォルダーを閲覧することができる。
【００１９】
ステップ＃１６ではイベントが発生したか否かが監視され、イベントが発生すると各イベントに対応した処理が行われるようになっている。ユーザーはスクロールバー３１によりスクロールして所望のフォルダーを選択状態にする。そして、選択ボタン３３を選択するとステップ＃１７に移行し、図３に示す「画像一覧」処理が呼出される。戻るボタン３４を選択すると、ステップ＃１８に移行して図７のログイン画面１０に戻る。終了ボタン３５を選択すると、画像形成プログラムを終了することができる。
【００２０】
「画像一覧」処理では、図１０に示すような画像一覧画面４０が表示され、選択されたフォルダーの画像ファイルが一覧表示される。画像一覧画面４０内には、リストボックス４１が設けられる。リストボックス４１には、インターネットサーバー上のデータベースに保存された画像ファイルの画像が縮小表示され、ユーザーはスクロールバー４４の操作によりスクロールして画像を閲覧することができる。
【００２１】
図３において、ステップ＃２１ではイベントが発生したか否かが監視され、イベントが発生すると各イベントに対応した処理が行われる。アップロードボタン４８を選択すると、ステップ＃２２に移行して図１１に示すファイル指定画面６０が表示される。ファイル指定画面６０は画像ファイルを指定することができる。
【００２２】
ファイル指定画面６０には、インターネットのサーバー上にアップロードする画像ファイルのファイル名を入力する複数のテキストボックス６１が設けられる。ユーザーはローカルフォルダに保存された画像ファイルのファイル名をテキストボックス６１に入力する。また、参照ボタン６２の操作によりローカルフォルダ内から画像ファイルを検索してテキストボックス６１にファイル名を入力できるようになっている。
【００２３】
ファイル名の入力後に実行ボタン６４を選択すると、ステップ＃２３で指定されたファイルがアップロードされ、Ｗｅｂ  Ｐｈｏｔｏ  サイト上に画像ファイルが追加される。そして、ステップ＃２１に戻って図１０の画像一覧画面４０が表示される。また、ステップ＃２２、＃２３で戻るボタン６３を選択するとアップロードが行われずにステップ＃２１に戻って画像一覧画面４０が表示される。また、終了ボタン６５を選択すると画像形成プログラムが終了する。
【００２４】
画像一覧画面４０のイベント監視状態（ステップ＃２１）から削除ボタン４９が選択されると、ステップ＃２５に移行して画像ファイルの削除が行われる。リストボックス４１に表示された各画像５２にはファイル名５２ａ及びチェックボックス５２ｂが付記される。チェックボックス５２ｂに予めチェックされた画像ファイルが削除ボタン４９の選択によりＷｅｂ  Ｐｈｏｔｏ  サイト上から削除される。
【００２５】
画像一覧画面４０のイベント監視状態（ステップ＃２１）から表示ボタン４３を選択すると、ステップ＃２６に移行する。ステップ＃２６では、一画面の画像表示枚数がコンボボックス４２により指定した枚数に変更される。前ページボタン４６または次ページボタン４７を選択すると、それぞれステップ＃２７、＃２８に移行して、前ページまたは次ページの画面が表示される。また、戻るボタン５０を選択すると、前述の図２の「フォルダー選択」処理が呼出される。
【００２６】
画像一覧画面４０のイベント監視状態（ステップ＃２１）からリストボックス４１内の画像５２を選択すると、ステップ＃３０に移行して図４の「コメント掲示板」処理が呼出される。画像５２の選択はマウスのクリックやダブルクリック等により行われる。尚、終了ボタン５１を選択すると画像形成プログラムが終了する。
【００２７】
「コメント掲示板」処理では、図１２に示すようなコメント掲示板画面７０が表示される。Ｗｅｂ  Ｐｈｏｔｏ  サイトはインターネットのサーバー上に設けられるため、誰でもアクセスして同じ画像ファイルを閲覧することができる。そして、各ユーザーが表示された画像についてのコメントをサーバーに送信することによってコメントのデータベースがＷｅｂ  Ｐｈｏｔｏ  サイトの掲示板上に公開されるようになっている。
【００２８】
コメント掲示板画面７０には、選択された画像ファイルに基づいた画像を表示する画像表示部６７、コメント７１ｃを入力するテキストボックス７１、掲示板に公開されたコメント７２ｃの一覧を表示するリストボックス７２が表示される。画像表示部６７には、画像ファイルに保存された全体画像７３及び全体画像７３の一部領域を抽出して拡大した抽出画像６９（図１３参照）が表示される。また、ユーザーはリストボックス７２のスクロールバー７２ａの操作によりスクロールしてコメント７２ｃを閲覧することができる。
【００２９】
図４において、ステップ＃３１ではイベントが発生したか否かが監視され、イベントが発生すると各イベントに対応した処理が行われる。全体画像７３の一部分をマウス等のポインティングデバイスによってドラッグすると、ステップ＃３２に移行して、指定した範囲が指定領域７３ａとして全体画像７３内に表示される。そして、ステップ＃３１に戻ってイベント監視状態になる。
【００３０】
これにより、所望の指定領域７３ａ毎に画像を閲覧できるとともに、指定領域７３ａ毎にコメントを管理できるようになっている。尚、本実施形態の領域指定の方法はマウス等のドラッグにより矩形領域の２頂点を指定するようになっている。多角形の各頂点を順次クリックすること等により領域指定してもよい。
【００３１】
イベント監視状態（ステップ＃３１）から追加ボタン７４を選択すると、ステップ＃３３に移行する。ステップ＃３３では、領域指定（ステップ＃３２）により全体画像７３内に表示された指定領域７３ａの範囲が取得される。また、後述するように、画像表示部６７に抽出画像６９（図１３参照）が表示されている場合は抽出画像６９に対応した指定領域７３ａの範囲が取得される。
【００３２】
ステップ＃３４ではテキストボックス７１内のテキスト（文字データ）から成るコメント７１ｃが取得される。そして、ステップ＃３５で指定領域７３ａ及びコメント７１ｃが画像データに含まれてサーバーに保存され、指定領域７３ａに関連するコメントとして掲示板に追加される。その後、ステップ＃３１に戻ってイベント監視状態になる。尚、指定領域７３ａが表示されていない場合は全体画像７３に対するコメントとして掲示板に追加される。
【００３３】
また、リストボックス７２内の各コメント７２ｃの先頭にはチェックボックス７２ｂが設けられている。チェックボックス７２ｂをチェックした後に上記の追加ボタン７４の選択操作を行うと、チェックされたコメントに対する返答として掲示板に公開される。
【００３４】
イベント監視状態（ステップ＃３１）からクリアボタン７５を選択すると、ステップ＃３６に移行してテキストボックス７１内の入力データが消去される。イベント監視状態から削除ボタン７６を選択すると、ステップ＃３７に移行してチェックボックス７２ｂにチェックされたユーザー本人のコメントを掲示板上から削除する。その後、ステップ＃３１に戻ってイベント監視状態になる。
【００３５】
イベント監視状態（ステップ＃３１）からリストボックス７２内のコメント７２ｃ上にマウスカーソルを移動してコメント７２ｃを指示するとステップ＃３８に移行する。ステップ＃３８では画像表示部６７に全体画像７３が表示されているか否かが判断される。画像表示部６７に抽出画像６９（図１３参照）が表示されている場合はステップ＃４０に移行する。
【００３６】
画像表示部６７に全体画像７３が表示されている場合はステップ＃３９に移行して、指示されたコメント７２ｃに対応する指定領域７３ａが全体画像７３内に表示される。これにより、マウスカーソルをコメント７２ｃ上に配置するだけで対応する指定領域７３ａを確認することができ、ユーザーの操作性を向上させることができる。
【００３７】
ステップ＃４０、＃４２ではコメント７２ｃを指示した後、マウスカーソルが該コメント７２ｃから退避するか、マウスクリックにより該コメント７２ｃが選択されるまで待機する。マウスカーソルがコメント７２ｃから退避した場合は、ステップ＃４０の判断によりステップ＃４１に移行する。ステップ＃４１では指定領域７３ａが画面上から消去され、イベント監視状態（ステップ＃３１）に戻る。
【００３８】
マウスクリックによりコメント７２ｃが選択されると、ステップ＃４２の判断によりステップ＃４３に移行する。コメント７２ｃの選択は他の方法により行ってもよい。例えば、コメント７２ｃの指示状態から特定のファンクションキーを押下することにより選択されるようにしてもよい。
【００３９】
ステップ＃４３では再度、画像表示部６７に全体画像７３が表示されているか否かが判断される。画像表示部６７に全体画像７３が表示されている場合はステップ＃４４に移行して、図１３に示すようにズーム操作用のスライダーバー６８が表示される。
【００４０】
また、選択領域７３ａ内の画像を拡大抽出した抽出画像６９が画像表示部６７に表示され、ステップ＃３１に戻る。尚、画像表示部６７に抽出画像６９が表示された状態から上記の追加ボタン７４を選択すると、表示された抽出画像６９に関連するコメントとして処理される。
【００４１】
画像表示部６７に既に抽出画像６９が表示されている場合は、ステップ＃４３の判断によってステップ＃４５に移行してズーム操作用のスライダーバー６８が消去される。また、全体画像７３が画像表示部６７に表示され、ステップ＃３９に戻って指定領域７３ａが表示される。これにより、前述の図１２に示す状態になる。
【００４２】
図１３に示すように、スライダーバー６８にはボタン６８ａが設けられている。ボタン６８ａは、マウスによるドラッグ操作やキーボード操作等により表示画面上でスライド移動可能になっており、ボタン６８ａの操作により抽出画像６９のズーム操作を行えるようになっている。
【００４３】
イベント待機状態（ステップ＃３１）からボタン６８ａを移動させるとズームイベントが発生してステップ＃４６に移行する。ボタン６８ａは図中、左方に移動すると抽出画像６９が縮小され、右方に移動すると抽出画像６９が拡大される。また、移動量に応じてズーム倍率が可変できる。
【００４４】
ステップ＃４６ではボタン６８ａの移動方向及び移動量に応じてズーム倍率が取得される。ステップ＃４７では取得したズーム倍率に応じて抽出画像６９を変倍して画像表示部６７に表示する。その後ステップ＃３１に戻る。これにより、抽出画像６９をユーザーが所望の拡大倍率で表示することができ、ユーザーの使用勝手を向上させることができる。
【００４５】
例えば、図１４はボタン６８ａを右方に移動させた場合を示しており、画像表示部６７には図１３の抽出画像６９を拡大した抽出画像６９ａが表示されている。また、図１５はボタン６８ａを左方に移動させた場合を示しており、画像表示部６７には図１３の抽出画像６９を縮小した抽出画像６９ｂが表示されている。この時、変倍前の抽出画像６９の中心点と変倍後の抽出画像６９ａ、６９ｂの中心点とが同じ位置になるように変倍すると、表示された抽出画像がどの部分を表示しているかをユーザーが容易に把握することができるのでより望ましい。
【００４６】
イベント監視状態（ステップ＃３１）から戻るボタン７８を選択するとステップ＃４８で前述の図３に示す「画像一覧」処理が呼出され、終了ボタン７９を選択すると画像形成プログラムが終了する。また、プリントボタン７７を選択すると、ステップ＃４９に移行して図５に示す「印刷設定」処理が呼出される。
【００４７】
「印刷設定」処理では図１６に示す印刷設定画面８０が表示される。印刷設定画面８０には、全体画像から複数の指定領域７３ａ（図１２参照）内の画像を抽出した抽出画像８１ａ、８１ｂ、８１ｃ、８１ｄ、・・・を一覧表示するリストボックス８１が設けられる。ユーザーはリストボックス８１のスクロールバー８８の操作によりスクロールして抽出画像８１ａ、８１ｂ、８１ｃ、８１ｄ、・・・を閲覧して印刷対象の抽出画像を特定することができる。
【００４８】
図５において、ステップ＃５１ではイベントが発生したか否かが監視され、イベントが発生すると各イベントに対応した処理が行われる。移動ボタン８３が選択されると、ステップ＃５２でコンボボックス８９により指定した移動先を取得する。
【００４９】
各抽出画像８１ａ、８１ｂ、８１ｃ、８１ｄ、・・・の下方にはチェックボックス８１ｅが設けられ、ステップ＃５３ではチェックボックス８１ｅがチェックされている抽出画像の情報が取得される。ステップ＃５４ではチェックされた抽出画像が１つか否かが判断される。１画像の場合はステップ＃５５に移行し、取得された移動先にチェックされた抽出画像を移動する。２画像以上の場合はステップ＃５６で警告ダイアログを表示する。そして、ステップ＃５１に戻ってイベント監視状態になる。
【００５０】
イベント監視状態（ステップ＃５１）から削除ボタン８４を選択するとステップ＃５７に移行する。ステップ＃５７ではチェックボックス８１ｅにチェックされた抽出画像（図１６の場合は８１ａ、８１ｄ）が非表示になって印刷の対象から除かれる。その後、イベント監視状態に戻る。
【００５１】
イベント監視状態（ステップ＃５１）から表示順のコンボボックス８６を選択すると、ステップ＃５８に移行してコンボボックス８６の指定値を取得する。コンボボックス８６には、コメント数やコメント日付等の並び替えの条件の候補が設けられ、ユーザーは所望の候補を選択できるようになっている。ステップ＃５９では取得した表示順に基づいて抽出画像８１ａ、８１ｂ、・・・が並び替えられ、イベント監視状態に戻る。
【００５２】
イベント監視状態（ステップ＃５１）から戻るボタン８２を選択するとステップ＃６０に移行して前述の図４に示す「コメント掲示板」処理が呼出される。終了ボタン８７を選択すると画像形成プログラムが終了する。また、「次へ」ボタン８５が選択されるとステップ＃６１に移行して、図６に示す「プレビュー表示」処理が呼出される。
【００５３】
「プレビュー表示」処理では図１７に示す印刷プレビュー画面９０が表示される。印刷プレビュー画面９０は印刷されるイメージ通りのレイアウトを表示する。印刷プレビュー画面９０では上部に画像ファイルの全体画像９１が表示される。全体画像９１には印刷対象となっている指定領域９１ａ（図１２の７３ａに対応する。）が示されるようになっている。
【００５４】
全体画像９１の下方には表示枠９２が設けられる。表示枠９２内には、「印刷設定」処理（図５、図１６参照）で選択された抽出画像９２ａと、抽出画像９２ａに関連した掲示板上のコメント９２ｂとが左右に並べて表示される。表示枠９２は印刷対象の指定領域９１ａと同数設けられ、１ページ内に収まらない場合は複数のページに跨って表示される。この時、２ページ目以降の各ページの上部にも全体画像９１を配してもよい。
【００５５】
図６において、ステップ＃７１ではイベントが発生したか否かが監視され、イベントが発生すると各イベントに対応した処理が行われる。前ページボタン９３及び次ページボタン９４が選択されると、それぞれステップ＃７２、＃７３で前ページまたは次ページの印刷イメージが表示される。そして、イベント監視状態に戻る。
【００５６】
イベント監視状態（ステップ＃４３）から印刷実行ボタン９５が選択されると、ステップ＃７４に移行して印刷プレビュー画面９０と同じイメージで印刷が行われる。印刷が終了すると、ステップ＃７５で前述の図４に示す「コメント掲示板」処理が呼出される。また、戻るボタン９６が選択されると前述の図５に示す「印刷設定」処理が呼出され、終了ボタン９７が選択されると画像形成プログラムが終了する。
【００５７】
本実施形態によると、全体画像９１から指定領域９１ａ内の画像を抽出した抽出画像９２ａと、該指定領域に対応するコメント９２ｂとを同時に表示及び印刷を行うことができるので、一部の領域に対応するコメントを容易に把握することができユーザーの使用勝手を向上させることができる。また、印刷によりコンピュータのない環境でも多数の指定領域に対応するコメントの内容を容易に把握することができユーザーの利便性を向上させることができる。
【００５８】
また、コメント掲示板画面７０においてコメント７２ｃを選択した際に該コメント７２ｃに対応する抽出画像７３ａが表示されるので一部の領域に対応するコメントを更に容易に把握することができる。
【００５９】
尚、指定領域７３ａ（図１２参照）の指定や、コメントの入力等を「コメント掲示板」処理（図４参照）により行っているが、これらの機能を省いて指定領域及びコメントが既に書き込まれた画像データのファイルを本実施形態と同様の画像形成プログラムにより表示或いは印刷してもよい。
【００６０】
また、本実施形態では画像形成プログラムをインターネットのサーバー上に設けているが、ローカルドライブにインストールしてスタンドアロンで使用することも可能である。
【００６１】
次に、第２実施形態について図１８を参照して説明する。図１８は前述の図１〜図１７に示す第１実施形態の画像形成プログラムを搭載したデジタルカメラを示すブロック図である。画像形成プログラムは画像操作部１０７内に設けられている。
【００６２】
デジタルカメラ１００は各部を制御するＣＰＵから成るカメラ制御部１１４を有している。カメラ制御部１１４には撮影モード設定ボタン１１５、レリーズボタン１１６、操作ボタン１１７による信号が入力される。
【００６３】
撮影モード設定ボタン１１５を操作するとカメラ制御部１１４の制御により夜間撮影等の撮影モードが設定される。レリーズボタン１１６を操作するとカメラ制御部１１４の制御により露光動作が行われる。操作ボタン１１７を操作するとカメラ制御部１１４の制御によりデジタルカメラ１００の各部の操作が行われる。
【００６４】
また、カメラ制御部１１４はＡＦ部１１３及び画像形成部１０１を制御する。画像形成部１０１の前段には光学レンズ１０２が配される。光学レンズ１０２の後段の画像形成部１０１内にはＣＣＤ等の撮像素子１０３が設けられる。撮像素子１０３の後段には、Ａ／Ｄ変換部１０４を介してノイズ除去等を行う画像処理部１０５が設けられる。
【００６５】
画像処理部１０５の後段には、画像信号のデータを圧縮する画像圧縮部１０６が設けられ、記録媒体１０８に接続されている。画像処理部１０５には画像圧縮部１０６と並列にライブビュー画像形成部１０９が接続される。ライブビュー画像形成部１０９は液晶表示部１１０に接続され、画像処理部１０５の出力信号を液晶表示部１１０の表示信号に変換する。
【００６６】
また、画像圧縮部１０６の後段には、第１実施形態と同様の画像形成プログラムが実行可能な画像操作部１０７が設けられる。画像操作部１０７の出力側は記録媒体１０８及び液晶表示部１１０に接続される。
【００６７】
画像処理部１０５にはライブビュー画像形成部１０９と並列にＲＡＭ等の画像メモリ１１１が配され、画像処理部１０５の出力信号を一時記憶する。画像メモリ１１１はＡＦ部１１３に接続され、ＡＦ部１１３は光学レンズ１０２を駆動するレンズ駆動部１１２に接続されている。
【００６８】
上記構成のデジタルカメラ１００において、光学レンズ１０２を通った光は撮像素子１０３で光電変換され、映像信号が出力される。映像信号はＡ／Ｄ変換部１０４でデジタル信号に変換された後、画像処理部１０５で所定の信号に変換される。
【００６９】
画像処理部１０５の出力信号は画像圧縮部１０６、ライブビュー画像形成部１０９及び画像メモリ１１１に送られる。画像圧縮部１０６ではデータ圧縮されて記録媒体１０８に画像データとして記録される。ライブビュー画像形成部１０９では入力信号を所定の信号に変換した後、液晶表示部１１０に送信して光学レンズ１０２により捉えた映像が液晶表示部１１０に表示される。
【００７０】
画像メモリ１１１には光学レンズ１０２を通った映像のデータが随時記憶される。ＡＦ部１１３は所定のタイミングで画像メモリ１１１に記憶されたデータを取り出して、該データに基づいてレンズ駆動部１１２を制御する。レンズ駆動部１１２は光学レンズ１０２を駆動し、ＡＦ動作が行われる。
【００７１】
また、画像圧縮部１０６から出力される画像データ或いは記録媒体１０８に記憶された画像データによる画像は画像操作部１０７の画像形成プログラムを介して液晶表示部１１０に表示される。ユーザーは画像形成プログラムによって液晶表示部１１０に表示される画像を第１実施形態と同様に操作することができる。従って、第１実施形態と同様の効果を得ることができる。
【００７２】
また、指定領域７３ａやコメント７２ｃ（何れも図１２参照）の入力等を行って記録媒体１０８に記憶させることができる。尚、本実施形態において、デジタルカメラ１００に画像形成プログラムを搭載しているが、他の携帯情報端末装置に搭載してもよい。
【００７３】
また、第１、第２実施形態において、画像データは図１９に示すように格納されている。同図に示すように、全体画像そのもののデータ１２３には全体画像のヘッダ情報を格納するヘッダ領域１２１が付加される。そして、指定領域７３ａの位置や大きさを示す領域データ１１２がヘッダ領域１２１の一部に配置される。これにより、所定位置から領域データ１１２を取り出して抽出画像を得ることができる。
【００７４】
【発明の効果】
本発明によると、全体画像から指定領域内の画像を抽出した抽出画像と、該指定領域に対応するコメントとを同時に表示及び印刷を行うことができるので、一部の領域に対応するコメントを容易に把握することができユーザーの使用勝手を向上させることができる。
【００７５】
また、印刷によりコンピュータのない環境でも多数の指定領域に対応するコメントの内容を容易に把握することができユーザーの利便性を向上させることができる。更に、文字データを選択した際に該文字データに対応する抽出画像が表示されるので一部の領域に対応するコメントを更に容易に把握することができる。
【００７６】
また本発明によると、文字データの表示領域内に指示手段を移動することにより該文字データに対応する指定領域が全体画像内に表示されるので、指示手段を文字データ上に配置するだけで対応する指定領域を確認することができ、ユーザーの操作性をより向上させることができる。
【００７７】
また本発明によると、抽出画像を拡大縮小する変倍機能を設けているので、抽出画像をユーザーが所望の拡大倍率で表示することができ、ユーザーの使用勝手を向上させることができる。
【００７８】
また本発明によると、変倍する前後の抽出画像の中心位置を一致させているので、表示された抽出画像がどの部分を表示しているかをユーザーが容易に把握することができる。
【図面の簡単な説明】
【図１】は、本発明の第１実施形態の画像形成プログラムを示すフローチャートである。
【図２】は、本発明の第１実施形態の画像形成プログラムのフォルダー選択処理を示すフローチャートである。
【図３】は、本発明の第１実施形態の画像形成プログラムの画像一覧処理を示すフローチャートである。
【図４】は、本発明の第１実施形態の画像形成プログラムのコメント掲示板処理を示すフローチャートである。
【図５】は、本発明の第１実施形態の画像形成プログラムの印刷設定処理を示すフローチャートである。
【図６】は、本発明の第１実施形態の画像形成プログラムのプレビュー表示処理を示すフローチャートである。
【図７】は、本発明の第１実施形態の画像形成プログラムのログイン画面を示す図である。
【図８】は、本発明の第１実施形態の画像形成プログラムのユーザー登録画面を示す図である。
【図９】は、本発明の第１実施形態の画像形成プログラムのフォルダー選択画面を示す図である。
【図１０】は、本発明の第１実施形態の画像形成プログラムの画像一覧画面を示す図である。
【図１１】は、本発明の第１実施形態の画像形成プログラムのファイル指定画面を示す図である。
【図１２】は、本発明の第１実施形態の画像形成プログラムのコメント掲示板画面を示す図である。
【図１３】は、本発明の第１実施形態の画像形成プログラムのコメント掲示板画面で抽出画像を表示した状態を示す図である。
【図１４】は、本発明の第１実施形態の画像形成プログラムのコメント掲示板画面で抽出画像を拡大した状態を示す図である。
【図１５】は、本発明の第１実施形態の画像形成プログラムのコメント掲示板画面で抽出画像を縮小した状態を示す図である。
【図１６】は、本発明の第１実施形態の画像形成プログラムの印刷設定画面を示す図である。
【図１７】は、本発明の第１実施形態の画像形成プログラムのプレビュー表示画面を示す図である。
【図１８】は、本発明の第２実施形態のデジタルカメラの構成を示すブロック図である。
【図１９】は、本発明の第２実施形態のデジタルカメラの画像データの格納状態を示す図である。
【符号の説明】
１０    ログイン画面
２０    ユーザー登録画面
３０    フォルダー選択画面
４０    画像一覧画面
６０    ファイル選択画面
６７    画像表示部
６９、６９ａ、６９ｂ、８１ａ〜８１ｄ、９２ａ  抽出画像
７０    コメント掲示板画面
７２ｃ、９２ｂ  コメント
７３、９１  全体画像
７３ａ、９１ａ  指定領域
８０    印刷設定画面
９０    印刷プレビュー画面
９２    表示枠
【図１】
0003596524.tif 000002
【図２】
0003596524.tif 000003
【図３】
0003596524.tif 000004
【図４】
0003596524.tif 000005
【図５】
0003596524.tif 000006
【図６】
0003596524.tif 000007
【図７】
0003596524.tif 000008
【図８】
0003596524.tif 000009
【図９】
0003596524.tif 000010
【図１０】
0003596524.tif 000011
【図１１】
0003596524.tif 000012
【図１２】
0003596524.tif 000013
【図１３】
0003596524.tif 000014
【図１４】
0003596524.tif 000015
【図１５】
0003596524.tif 000016
【図１６】
0003596524.tif 000017
【図１７】
0003596524.tif 000018
【図１８】
0003596524.tif 000019
【図１９】
0003596524.tif 000020